(57)【要約】【課題】画像送信時に適切な送信先に画像を送信する。【解決手段】制御部と、入力された宛先情報の送信先に画像を送信する通信部と、送信先の宛先情報を含む画像から宛先情報を認識する文字認識部と、を備えた画像通信装置であって、前記制御部は、認識された宛先情報と、前記入力された宛先情報が一致した場合に、前記通信部により送信先に画像を送信することを特徴とする。また、入力された宛先情報を記憶する記憶部を備え、前記入力された宛先情報と、認識された宛先情報とが一致した場合に、前記入力された宛先情報を前記記憶部に記憶することを特徴とする。【選択図】図１
2019125966.tif 000002
【特許請求の範囲】
【請求項１】
制御部と、入力された宛先情報の送信先に画像を送信する通信部とを備えた画像通信装置であって、
送信先の宛先情報を含む画像から宛先情報を認識する文字認識部を有し、
前記制御部は、認識された宛先情報と、前記入力された宛先情報とが一致した場合に、前記通信部により送信先に画像を送信する、
ことを特徴とする画像通信装置。
【請求項２】
制御部と、入力された宛先情報を記憶する記憶部とを備えた画像通信装置であって、
送信先の宛先情報を含む画像から宛先情報を認識する文字認識部を有し、
前記制御部は、認識された宛先情報と、前記入力された宛先情報とが一致した場合に、前記入力された宛先情報を前記記憶部に記憶する、
ことを特徴とする画像通信装置。
【請求項３】
前記宛先情報は、送信先を識別するための識別情報と、送信先に関する付加情報とを含むことを特徴とする請求項２に記載の画像通信装置。
【請求項４】
表示部を更に有し、
前記制御部は、前記認識された宛先情報と、前記入力された宛先情報とが一致しない場合には、前記送信先に画像を送信せずに、又は、前記入力された宛先情報を前記記憶部に記憶せずに、前記表示部に警告画面を表示することを特徴とする請求項１から３のいずれか１項に記載の画像通信装置。
【請求項５】
前記制御部は、前記認識された宛先情報と、前記入力された宛先情報とが一致した場合に、前記通信部により送信先に試行送信を行うことを特徴とする請求項１又は２に記載の画像通信装置。
【請求項６】
前記制御部は、前記認識された宛先情報と、前記入力された宛先情報とが一致することを判断する際に、数字のみを抽出して判断することを特徴とする請求項１又は２に記載の画像通信装置。
【請求項７】
前記制御部は、前記認識された宛先情報と、前記入力された宛先情報とが一致することを判断する際に、数字のみを抽出した数字列の内、特定の桁数部分のみをさらに抽出して、一致することを判断することを特徴とする請求項６に記載の画像通信装置。
【請求項８】
前記制御部は、前記宛先情報を含む画像からの宛先情報の認識を、宛先情報の入力より先行して行うことを特徴とする、請求項１から７のいずれか１項に記載の画像通信装置。
【請求項９】
入力された宛先情報の送信先に画像を送信する画像通信装置の制御方法であって、
宛先情報を入力する工程と、
送信先の宛先情報を含む画像から宛先情報を認識する工程と、
前記入力された宛先情報と、前記認識された宛先情報とが一致することを判断する工程と、を備え、
前記入力された宛先情報と、前記認識された宛先情報とが一致した場合に、画像を送信することを特徴とする制御方法。
【請求項１０】
入力された宛先情報を記憶する記憶部を備えた画像通信装置の制御方法であって、
宛先情報を入力する工程と、
送信先の宛先情報を含む画像から宛先情報を認識する工程と、
前記入力された宛先情報と、前記認識された宛先情報とが一致することを判断する工程と、を備え、
前記入力された宛先情報と、前記認識された宛先情報とが一致した場合に、前記入力された宛先情報を記憶することを特徴とする制御方法。
【請求項１１】
入力された宛先情報の送信先に画像を送信する画像通信装置を動作させるプログラムであって、
コンピュータにより
宛先情報を入力する機能と、
送信先の宛先情報を含む画像から宛先情報を認識する機能と
前記入力された宛先情報と、前記認識された宛先情報とが一致することを判断する機能と、を実現させて、
前記入力された宛先情報と、前記認識された宛先情報とが一致した場合に、画像を送信することを特徴とするプログラム。
【請求項１２】
入力された宛先情報を記憶する画像通信装置を動作させるプログラムであって、
コンピュータにより
宛先情報を入力する機能と、
送信先の宛先情報を含む画像から宛先情報を認識する機能と
前記入力された宛先情報と、前記認識された宛先情報とが一致することを判断する機能と、を実現させて、
前記入力された宛先情報と、前記認識された宛先情報とが一致した場合に、前記入力された宛先情報を記憶することを特徴とするプログラム。
【発明の詳細な説明】
【技術分野】
【０００１】
本発明は、画像を適切な送信先に送信可能な画像通信装置等に関する。
【背景技術】
【０００２】
ファクシミリを送信する際に、入力したファクシミリの宛先番号や、選択する宛先番号を間違った場合、重要な文書が情報漏えいしてしまう恐れがある。
【０００３】
このため、誤送信防止対策として、例えば、登録済みの宛先のみが選択可能であり、宛先のファクシミリ宛先番号入力を禁止する機能を備えることが開示されている。
【０００４】
或いは、送信時に、ファクシミリの宛先番号入力時に、２度入力させる機能を備えることが開示されている。
【０００５】
また、関連の技術として、登録しようとする宛先番号が、ファクシミリ通信可能な端末の番号でない場合に登録をしない機能を備えた製品の技術が、特許文献１に開示されている。
【先行技術文献】
【特許文献】
【０００６】
【特許文献１】特開２００３−６０７７２号公報
【発明の開示】
【発明が解決しようとする課題】
【０００７】
しかしながら、登録済みの宛先のみが選択可能な技術は、そもそも宛先登録時に誤登録してしまった場合には、当然ながら誤送信を防止できるものではなかった。
【０００８】
また、送信時に２度入力させても、送信者がファクシミリの宛先番号を、そもそも読み間違えていた場合には、誤送信を防止できるものではなかった。
【０００９】
さらに、特許文献１の技術は、宛先番号が真にファクシミリの宛先番号であり、かつ、番号が抹消などされておらず有効であることを確認するもので、通信可能か否かの判断に基づくものであり、情報漏えいの観点から誤送信を防止するというものではなかった。
【００１０】
本発明は、上記従来の課題に鑑みてなされたものであり、適切な送信先に画像を送信可能な画像通信装置等を提供することを目的とする。
【課題を解決するための手段】
【００１１】
本発明の画像通信装置は、制御部と、入力された宛先情報の送信先に画像を送信する通信部と、送信先の宛先情報を含む画像から宛先情報を認識する文字認識部と、を備え、前記制御部は、前記入力された宛先情報と、認識された宛先情報とが一致した場合に、前記通信部により送信先に画像を送信することを特徴とする。また、入力された宛先情報を記憶する記憶部を備え、前記入力された宛先情報と、認識された宛先情報とが一致した場合に、前記入力された宛先情報を前記記憶部に記憶することを特徴とする。
【００１２】
本発明の制御方法は入力された宛先情報の送信先に画像を送信する画像通信装置の制御方法であって、宛先情報を入力する工程と、送信先の宛先情報を含む画像から宛先情報を認識する工程と、前記入力された宛先情報と、前記認識された宛先情報とが一致することを判断する工程と、を備え、前記入力された宛先情報と、前記認識された宛先情報とが一致した場合に、画像を送信することを特徴とする。また前記入力された宛先情報を記憶することを特徴とする。
【００１３】
本発明のプログラムは、入力された宛先情報の送信先に画像を送信する画像通信装置を動作させるプログラムであって、コンピュータにより宛先情報を入力する機能と、送信先の宛先情報を含む画像から宛先情報を認識する機能と前記入力された宛先情報と、前記認識された宛先情報とが一致することを判断する機能と、を実現させて、前記入力された宛先情報と、前記認識された宛先情報とが一致した場合に、画像を送信することを特徴とする。また、前記入力された宛先情報を記憶することを特徴とする。
【発明の効果】
【００１４】
本発明によれば、入力された宛先情報の送信先に画像を送信する場合に、宛先情報を含む画像から認識された宛先情報を利用することにより、適切な送信先に画像を送信することができる。
【図面の簡単な説明】
【００１５】
【図１】第１及び第２実施形態のファクシミリ装置１の構成を示すブロック図である。
【図２】第１実施形態のファクシミリ装置の動作時のフローチャートである。
【図３】第１実施形態のファクシミリ装置の動作例を説明するための図である。
【図４】第１実施形態のファクシミリ装置の動作例を説明するための図である。
【図５】第２実施形態のファクシミリ装置の動作時のフローチャートである。
【図６】第３実施形態のファクシミリ装置の送信モードでの動作時のフローチャートである。
【図７】第３実施形態のファクシミリ装置の動作例を説明するための図である。
【図８】第３実施形態のファクシミリ装置の宛先登録での動作時のフローチャートである。
【図９】第６実施形態のファクシミリ装置の動作時のフローチャートである。
【図１０】第６実施形態のファクシミリ装置の動作例を説明するための図である。
【図１１】第６実施形態のファクシミリ装置の動作例を説明するための図である。
【発明を実施するための形態】
【００１６】
以下、本発明の画像通信装置を、ファクシミリ装置に適用した場合について説明する。なお、各実施形態は本発明を説明する都合上記載したものであり、本発明の範囲が以下の実施形態に限定されるものではない。また、ファクシミリ装置としては、画像形成装置であるデジタル複合機において実現可能である。
【００１７】
（第１実施形態）
図１は第１実施形態におけるファクシミリ装置１の構成を示すブロック図である。
第１及び第２実施形態のファクシミリ装置１は、図１に示すように、主に、制御部１００と、記憶部１１０と、画像入力部１２０と、画像形成部１４０と、表示部１６０と、操作部１８０と、通信部２２０、文字認識部２４０を備えて構成されている。
【００１８】
制御部１００は、ファクシミリ装置１の全体を制御するための機能部である。制御部１００は、記憶部１１０に記憶されている各種プログラムを読み出して実行することにより各種機能を実現しており、例えばＣＰＵ（Central Processing Unit）等により構成されている。
【００１９】
記憶部１１０は、ファクシミリ装置１の動作に必要な各種プログラムや、各種データが記憶されている機能部である。記憶部１１０は、例えば、ＳＳＤ（Solid State Drive）、半導体メモリや、ＨＤＤ（Hard Disk Drive）等により構成されている。
【００２０】
また、記憶部１１０には、画像データ記憶領域１１２が確保されており、宛先テーブル１１８が記憶されている。画像データ記憶領域１１２には、画像入力部１２０によって読み取られた画像データや、通信部２２０により受信された画像データが記憶される。
【００２１】
宛先テーブル１１８は、宛先に関する情報である宛先情報が記憶されている。宛先テーブル１１８は、例えば送信先を識別する識別情報として、宛先番号と、送信先に関する付加情報（例えば、宛先名、電話番号、メールアドレス等）が対応付けて記憶される。なお、識別情報に、メールアドレスやファクシミリ番号を記憶してもよく、当該識別情報は宛先（送信先）に対して複数記憶されてもよい。
【００２２】
画像入力部１２０は、原稿の画像を読み取って画像データを生成するものであり、例えばＣＣＤ（Charge Coupled Device）等の光学情報を電気信号に変換するデバイスを備えたスキャナ装置等により構成されている。なお、画像入力部１２０は、スキャナ装置等の他にもデジタルカメラ等で撮像された画像を外部から取り込むようにしてもよいし、ＵＳＢ（Universal Serial Bus）メモリや、コンパクトフラッシュ（登録商標）等の記憶媒体、通信部２２０を介して他の端末から原稿データを入力（受信）しても良い。
【００２３】
画像形成部１４０は、画像データを記録媒体（例えば記録用紙）に形成するための機能部である。例えば、給紙トレイから記録用紙を給紙し、画像形成部１４０により記録用紙の表面に画像が形成された後に排紙トレイから排紙される。画像形成部１４０は、例えば電子写真方式を利用したレーザプリンタ等により構成されている。
【００２４】
表示部１６０は、各種コンテンツ等を表示する機能部である。例えば、ＬＣＤ（liquidcrystal display：液晶ディスプレイ）や、有機ＥＬ（Electro Luminescence）ディスプレイ等により構成されている。また、表示部１１０には、表示領域全体に全体画像が表示されており、当該全体画像に図形が表示されている。
【００２５】
操作部１８０は、利用者からの操作入力を受け付ける機能部である。たとえば、表示部１６０と一体に形成されたタッチパネルによるソフトウェアキーや、ハードウェアキーで実現される。なお、操作部１８０は、外部装置（例えば、外付けのキーボードやマウス等）により実現されてもよい。
【００２６】
文字認識部２４０は、画像から文字を認識する機能部である。例えば、ＯＣＲ（Optical Character Recognition）機能のアプリケーションが記憶部１１０に記憶されており、制御部１００が読みだして実行することにより実現する処理である。なお、ここでいう文字とは、数字、英文字、漢字、ひらがな、カタカナといった各種文字・文字列のみでなく、記号や、図形等を含むものとする。
【００２７】
これらの機能部により、ファクシミリ装置１は、制御部１００による制御で、画像入力部１２０から画像を入力し、記憶部１１０の画像データ記憶領域１１２に画像データとして記憶する。画像データから、文字認識部２４０が、宛先情報を読み取って入力する。入力された宛先情報や、画像のプレビューや、その他、操作中に必要なメッセージを表示部１６０が表示する。操作部１８０から、宛先情報が入力され、宛先テーブル１１８として、記憶部１１０に記憶される。通信部２２０から画像データ記憶領域１１２に記憶された画像データを送信する。
【００２８】
次に第１実施形態のファクシミリ装置において、ファクシミリ送信時の動作をフローチャートに沿って説明する。
図２は、第１実施形態のファクシミリ装置における、ファクシミリ送信の動作を示すフローチャートである。
【００２９】
ファクシミリ装置１においてファクシミリ送信モードが開始されると、利用者により、操作部１８０から、宛先番号（識別情報）が入力される（ステップＳ１００）。以後、ファクシミリ装置としての説明では、識別情報を宛先番号として説明する。
画像入力部１２０は、宛先番号を含む画像を入力し、画像データ記憶領域１１２に画像データとして記憶する（ステップＳ１０４）。
文字認識部２４０は、画像データに含まれる宛先番号を認識する（ステップＳ１０６）。制御部１００は、認識された宛先番号を表示部１６０に表示する（ステップＳ１０８）。
なお、上記では、宛先番号を入力してから画像を入力しているが、先に画像を入力し（ステップＳ１０４）、その後に宛先番号を入力してもよい。同時進行でもよい。
制御部１００は、操作部１８０から入力された宛先番号と、画像データから認識された宛先番号を比較する（ステップＳ１２０）。
入力された宛先番号と、認識された宛先番号とが一致すれば、一致した宛先番号（例えば、入力された宛先番号）を用いて、通信部２２０から画像データを送信し（ステップＳ１５０）、ファクシミリ送信を終了する。
また、入力された宛先番号と、認識された宛先番号と両者の番号が一致していなければ、表示部１６０から、図３のような、番号不一致の警告を表示し（ステップＳ１３０）、ファクシミリ送信を行わずに中止（終了）する。
【００３０】
ファクシミリ装置１の場合、ステップＳ１００における宛先番号とは、ファクシミリ番号であり、少なくとも、利用者がファクシミリの宛先番号であると認識している宛先番号の１つに限定される。
【００３１】
ステップＳ１００での、操作部１８０からの入力は、ハードウェアキーによるキー入力や、タッチパネルに表示されたキーであるソフトウェアキーによる入力や、手書き入力、さらには音声入力であってもよい。
【００３２】
ステップＳ１０４で画像入力部１２０が、入力する「宛先番号を含む画像」とは、ステップＳ１００で、利用者により操作部１８０から入力される宛先番号の裏付けとなりうる、客観的な情報元であり、送信原稿の送り状や、名刺や封筒、送信先からの通信文書であってもよい。なお、宛先番号を含む画像を送信原稿から入力するか、別の画像元を使うか、選択させるようにしてもよい。
【００３３】
さらに、宛先番号を含む画像は既に、携帯電話やスマートフォンのカメラで撮影された写真や、別途スキャナのような画像入力部を有する装置で入力された、画像形式のデータになっているものを入力してもよい。ファクシミリ装置１の画像入力部１２０から入力するものとは異なる外部入力として扱うことができる。上記、宛先番号を含む画像の選択と合わせて、図４のような画面を表示して選択できるようにしてもよい。
【００３４】
多くの場合、上記、宛先番号を含む画像には、ファクシミリ番号だけが記載されているとは限られず、特に、ファクシミリ番号と区別し難い、電話番号も併記されている場合が多い。このような場合、ステップＳ１０６では認識可能なファクシミリ番号の候補でありそうな番号を全て認識し、ステップＳ１０８で表示するようにしてもよい。
【００３５】
宛先番号を含む画像の情報元が、送信原稿である場合、送信元の電話番号やファクシミリ番号まで表示されている場合があり、ステップＳ１０６で認識される、候補の宛先番号が増える場合もある。しかしながら、認識された番号が、ファクシミリ装置１そのものに割り当てられている番号であることが明らかな場合は、予めＳ１０８で表示する宛先番号から除外してもよい。
【００３６】
入力された宛先番号が、画像データから認識された複数であってもよい宛先番号の１つと一致すれば、入力された宛先番号を用いて、画像データ記憶領域１１２から画像データを通信部２２０が送信して（ステップＳ１５０）、ファクシミリ送信モードを終了する。宛先番号のいずれとも一致しない場合は、ステップＳ１３０で表示部１６０から警告画面を表示した後、ファクシミリ送信することなく、中止（終了）する。
【００３７】
（第２実施形態）
次に第２実施形態について、図５のフローチャートに沿って説明する。第２実施形態において、第１実施形態と共通するステップは、同じ付番とし、説明を省略する。以下の実施形態においても同様とする。
【００３８】
第２実施形態においては、ステップＳ１００での宛先番号入力に引き続き、付加情報を操作部１８０から入力する（ステップＳ１０２）。
以下、第１実施形態と同様に、画像入力部１２０からの入力(ステップＳ１０４）から、入力された宛先番号と、認識された宛先番号の比較(ステップＳ１２０）までのステップを進む。
【００３９】
制御部１００はステップＳ１２０で利用者が操作部１８０から入力した宛先番号と、認識された宛先番号との比較で、入力された宛先番号と、認識された宛先番号が一致していれば、宛先番号と付加情報を宛先テーブル１１８として記憶部１１０に記憶し(ステップＳ１５２）、宛先登録を終了する。
ステップＳ１２０での宛先番号の比較で、入力された宛先番号と、認識された宛先番号が一致しなかった場合は、第1実施形態と同様、ステップＳ１３０での表示部１６０からの警告画面を表示の後、宛先登録することなく、中止（終了）する。
【００４０】
（第３実施形態）
次に第３実施形態について、図６のフローチャートに沿って説明する。
第１実施形態のステップＳ１２０において、利用者が操作部１８０から入力した宛先番号と、画像から認識された宛先番号と、を比較して、少なくとも１つと一致した場合に、第３実施形態では引き続き、入力された宛先番号に、制御部１００は通信可能か否かを確認するための連絡票を通信部２２０から試行送信する（ステップＳ１４０）。
【００４１】
制御部１００は試行送信の成否を判断し（ステップＳ１４２）、成功していた場合、宛先番号が適切であることの確認ができたので、ステップＳ１０４で入力していた、画像データ記憶領域１１２に記憶された画像データを、通信部２２０から送信して（ステップＳ１５０）、ファクシミリ送信モードを終了する。
【００４２】
ステップＳ１４２で試行送信が失敗した場合には、宛先番号として不適切なので、制御部１００は図７のように、表示部１６０から送信失敗の警告表示をして（ステップＳ１６０）、ファクシミリ送信モードを中止する。
【００４３】
前記連絡票は、機密情報には抵触しない内容のみが記載されていればよい。また、連絡票そのものを送信しなくても、通信可能か否かを判断できる情報の交換が可能であれば、送信先に実際に文書を送信する必要はない。
【００４４】
同様に、宛先情報を宛先テーブルとして登録する場合について、図８のフローチャートに沿って説明する。
制御部１００は試行送信の成否を判断し（ステップＳ１４２）、成功していた場合、宛先番号が適切であることの確認ができたので、ステップＳ１０２で利用者が操作部１８０から入力した、付加情報とともに、宛先番号（識別情報）を含めた宛先テーブル１１８として、記憶部１１０に記憶して（ステップＳ１５２）、宛先登録を終了する。
【００４５】
制御部１００はステップＳ１４２で試行送信が失敗した場合には、表示部１６０から送信失敗の警告表示をして（ステップＳ１６０）、宛先番号として不適切なので、宛先登録を中止する。
【００４６】
（第４実施形態）
次に第４実施形態について説明する。第４実施形態は、第１及び第２実施形態において、操作部１８０から利用者が入力した宛先番号と、画像からステップＳ１０６で認識された、宛先番号とを、比較するステップＳ１２０の処理で、さらに、数字のみを抽出し、数字以外の記号、文字は除外して比較し、一致判断するようにした実施形態である。
【００４７】
画像から認識された宛先番号は、宛先番号を含む画像の情報元として、送信原稿や名刺といった、書類を元にするので、「−」（ハイフン）や「＋」（プラス）、括弧といった数字以外の記号を含んでいる。また、各々の書式で記載されていて、統一された書式とは限らない。しかしながら、番号の比較であるから、数字だけを抽出することで、判断を単純化し、精度を向上させることができる。
【００４８】
（第５実施形態）
第４実施形態の場合において、宛先番号から、数字のみを抽出した数字列において、さらに特定の桁数部分のみの比較で一致判断を行うのが第５実施形態である。
【００４９】
画像から認識された宛先番号は、市外局番や、国番号といった番号まで含まれている場合がある。一方、利用者が宛先番号を入力する際は、同じ局番内の送信相手の宛先番号であれば、市外局番を省略して入力する場合もある。市外局番を含まない番号であれば、末尾の６桁から８桁の番号のみの比較でもよい。すなわち、上記第１から第３実施形態の宛先番号の比較において、宛先番号末尾の６桁から８桁の番号のみの比較で判断する実施形態である。
【００５０】
（第６実施形態）
次に、第６実施形態について説明する。第６実施形態は、第１及び第２実施形態において、利用者が操作部１８０から宛先番号を入力する、ステップＳ１００からＳ１０２の過程と、画像から宛先番号を認識する、ステップＳ１０４からＳ１０８までの過程の順序について、画像から宛先番号を認識する過程を先行させるものである。すなわち、第１実施形態を説明した図２のフローチャートや、第２実施形態を説明した図５のフローチャートとは、上記の、ステップＳ１０４からＳ１０８までの過程を先行させた後で、ステップＳ１００からＳ１０２の過程を行う点で、第１実施形態や、第２実施形態と異なる。
【００５１】
第６実施形態で、ファクシミリ送信を行う場合、図９のフローチャートに示すように、一部のステップの順序を特定したものであるが、順序の特定によって、ステップを進める際に、表示部１６０から表示される情報や、メッセージ、及び操作部１８０での操作に差異が生じ、ステップの進め方が変わる。
【００５２】
例えば、図１０に示すように、利用者が特に意識して、宛先番号の情報元を準備していなかった場合でも、送信原稿に宛先番号が記載されていた場合、宛先番号の候補が記載されていることを通知して、その宛先番号について、選択して確認を行うように促すようにしてもよい。
【００５３】
また、図１１に示すように、利用者が宛先番号を入力する前に、既に、画像データ１１２から宛先番号が認識され（ステップＳ１０６）、表示されている（ステップＳ１０８）ので、ステップＳ１００において番号そのものを利用者が入力するのに代えて、予め表示した候補から選択することを、促すようにもできる。
【００５４】
以上の、実施形態では、ファクシミリ装置は、制御部と、通信部と、画像入力部と、操作部と、表示部と、記憶部と、文字認識部と、を備えている例を説明したが、本実施形態に開示した発明を実施するためには、他の方式であってもよい事は勿論である。例えば、表示部１６０としてディスプレイを利用し、画像入力部１２０としてカメラ等を利用してもよい。そして、画像入力部１２０、表示部１６０に制御用のコンピュータを接続することにより、ファクシミリ送信方法として実現されてもよい。
【００５５】
また、上述した実施形態は、説明の都合上、それぞれ別に説明している部分があるが、技術的に可能な範囲で組み合わせて実行してもよいことは勿論である。
【００５６】
このように、本明細書に記載した各実施形態は、矛盾の無い範囲で組み合わせて実行することができる。
【００５７】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ（Random Access Memory））に蓄積され、その後、各種ＲＯＭ（Read Only Memory）やＨＤＤ、ＳＳＤの記憶装置に格納され、必要に応じてＣＰＵによって読み出し、修正・書き込みが行なわれる。
【００５８】
また、上述した実施形態では、ファクシミリの送信時の宛先確認及び、その宛先登録について示しているが、電子メールやインターネットファクシミリ送信時の宛先確認及び、その宛先登録についても適用できる。
【００５９】
また、上述した実施形態では、画像通信装置としてファクシミリ装置を例に説明したが、その他の同様の装置にも適用可能である。例えば、コンピュータや、携帯電話、スマートフォン等の情報処理装置において、宛先情報としてメールアドレスを利用し、送信先に画像を送信する場合についても適用可能である。
【００６０】
なお、上述した実施形態において通信される画像（画像データ）にはファクシミリ通信で使用される画像データ以外にも、通常の画像データ（例えば、ＢＭＰ（Bitmap）、ＪＰＧ（Joint Photographic Experts Group）、ＴＩＦＦ（Tagged Image File Format）等）のみならず、ドキュメントファイル（例えば、テキストファイル、ＰＤＦ（Portable Document Format）ファイル等）を含むものとする。
【００６１】
以上のように、本発明は、上述した実施形態に限定されるものではなく、請求項に示した範囲で種々の変更が可能である。当業者であれば、特許請求の範囲に記載された範疇内において、各種の変更例又は修正例に想到し得ることは明らかであり、すなわち、本発明の要旨を逸脱しない範囲内において適宜変更した技術的手段を組み合わせて得られる実施形態についても本発明の技術的範囲に含まれる。
【産業上の利用可能性】
【００６２】
本発明を利用すれば、誤送信や宛先の誤登録を防止し、画像を適切な送信先に送信することができる。
【図１】
2019125966.tif 000003
【図２】
2019125966.tif 000004
【図３】
2019125966.tif 000005
【図４】
2019125966.tif 000006
【図５】
2019125966.tif 000007
【図６】
2019125966.tif 000008
【図７】
2019125966.tif 000009
【図８】
2019125966.tif 000010
【図９】
2019125966.tif 000011
【図１０】
2019125966.tif 000012
【図１１】
2019125966.tif 000013